【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
ジヒドロピリジン、ポリジヒドロピリジン、またはこれらの混合物であって、このジヒドロピリジンが、式（１）：
【化１】
2004315787.tif 000001
（式中、各Ｒ５は独立してＣ１〜Ｃ３６アルキル基であり、各Ｒ４は独立して水素、−ＯＲ７、−ＮＨＲ７、または−ＮＲ７Ｒ８であり、各Ｒ７およびＲ８は独立して置換または非置換Ｃ１〜Ｃ２０アルキルまたはＣ２〜Ｃ２０アルケニル基であり、各Ｒ６は独立して水素、酸素、ハロゲン、または置換もしくは非置換Ｃ１〜Ｃ３６アルキル、アルケニル、アリール、アルカリール、またはアルアルキル基であり、さらにＲ１２は水素、置換または非置換Ｃ１〜Ｃ２０アルキル、Ｃ６〜Ｃ３６アリール、またはＣ６〜Ｃ３６アルカリール基である）を有し、このポリジヒドロピリジンが、式（２）：
【化２】
2004315787.tif 000002
（式中、Ａは、非置換であるかまたはＣ１〜Ｃ１８アルコキシ、Ｃ１〜Ｃ１８アルキルチオ、ヒドロキシ、アクリロイルオキシ、メタクリロイルオキシ、ハロゲン、フェニル、もしくはナフチル基で置換されている、Ｃ６〜Ｃ１８アリールまたはＣ１〜Ｃ２２アルキル基であり、各Ｒ５は独立してＣ１〜Ｃ３６アルキル基であり、ａおよびｂは、０〜２０の数であり、ｃは０または１であり、ｄは１〜６の数であるが、ただしｄ（ａ＋ｂ＋ｃ）＞１および（ａ＋ｂ）＞０であるという条件があり、Ｒ１０およびＲ１１は各々独立して、メチレン、フェニル、または（−ＣｐＨ２ｐ−Ｘ−）ｔＣｐＨ２ｐ−（式中、ｐは２〜１８の数であり、ｔは０〜１０の数であり、Ｘは酸素または硫黄である）型のアルキレン基であり、さらにＲ１２は水素、置換または非置換Ｃ１〜Ｃ２０アルキル、Ｃ６〜Ｃ３６アリール、もしくはＣ６〜Ｃ３６アルカリール基である）を有するもの；
式３のアミノアルコール：
【化３】
2004315787.tif 000003
（式中、Ｙは、置換または非置換Ｃ１〜Ｃ３６アルキル、Ｃ６〜Ｃ３６アリール、Ｃ７〜Ｃ３６アルカリール、もしくはＣ７〜Ｃ３６アルアルキル基であり；Ｒ１およびＲ２は各々独立して水素、または置換もしくは非置換Ｃ１〜Ｃ３６アルキル、Ｃ６〜Ｃ３６アリール、Ｃ７〜Ｃ３６アルカリール、もしくはＣ７〜Ｃ３６アルアルキル基であり、さらにＹ、Ｒ１、またはＲ２のうちの２つは互いに一緒になって、置換または非置換の、Ｃ２〜Ｃ３６炭素環式または環中に酸素もしくは硫黄へテロ原子を有するヘテロ環式基を形成し、さらにはＹ、Ｒ１、およびＲ２は、２つまたはそれ以上のヒドロキシ基を有するアミノアルコールを生じるように置換されている）；および／または
過塩素酸塩
を含む安定剤組成物。
【請求項２】
組成物が、アミノアルコールを含み、このアミノアルコールが、トリス（ヒドロキシメチルアミノ）メタン、トリス（ヒドロキシエチルアミノ）エタン、トリエタノールアミン、Ｎ，Ｎ’−ビス（２−ヒドロキシエチル）エチレンジアミン、グルカミン、または上記アミノアルコールの少なくとも１つを含む混合物である、請求項１記載の安定剤組成物。
【請求項３】
組成物が過塩素酸塩を含み、この過塩素酸塩が、式Ｍ（ＣｌＯ４）ｎ（式中、ＭはＬｉ、Ｎａ、Ｋ、Ｍｇ、Ｃａ、Ｓｒ、Ｚｎ、Ａｌ、Ｌａ、またはＣｅであり、ｎは、Ｍの原子価に応じて１、２、または３である）を有する、請求項１記載の安定剤組成物。
【請求項４】
各Ｒ４は−ＯＲ７であり、Ｒ７はＣ１〜Ｃ６アルキル基である、請求項１、２、または３記載の安定剤組成物。
【請求項５】
組成物がアミノアルコールおよび過塩素酸塩を含み、アミノアルコールがトリス（ヒドロキシメチルアミノ）メタンまたはトリエタノールアミンであり、各Ｒ４は−ＯＲ７（式中、Ｒ７はメチルまたはエチル基である）であり、各Ｒ５は同一であり、さらにこの過塩素酸塩が過塩素酸ナトリウムである、請求項１、２、または３記載の安定剤組成物。
【請求項６】
ハロゲン含有ビニルポリマー組成物に、請求項１、２、または３記載の安定剤組成物を添加することを含む、組成物の安定化方法。
【請求項７】
ハロゲン含有ビニルポリマー、
ジヒドロピリジン、ポリジヒドロピリジン、またはこれらの混合物であって、このジヒドロピリジンが、式（１）：
【化４】
2004315787.tif 000004
（式中、各Ｒ５は独立してＣ１〜Ｃ３６アルキル基であり、各Ｒ４は独立して水素、−ＯＲ７、−ＮＨＲ７、または−ＮＲ７Ｒ８であり、各Ｒ７およびＲ８は独立して置換または非置換Ｃ１〜Ｃ２０アルキルまたはＣ２〜Ｃ２０アルケニル基であり、各Ｒ６は独立して水素、酸素、ハロゲン、または置換もしくは非置換Ｃ１〜Ｃ３６アルキル、アルケニル、アリール、アルカリール、もしくはアルアルキル基であり、Ｒ１２は水素、置換または非置換Ｃ１〜Ｃ２０アルキル、Ｃ６〜Ｃ３６アリール、またはＣ６〜Ｃ３６アルカリール基である）を有し、このポリジヒドロピリジンが、式（２）：
【化５】
2004315787.tif 000005
（式中、Ａは、非置換であるかまたはＣ１〜Ｃ１８アルコキシ、Ｃ１〜Ｃ１８アルキルチオ、ヒドロキシ、アクリロイルオキシ、メタクリロイルオキシ、ハロゲン、フェニル、もしくはナフチル基で置換されている、Ｃ６〜Ｃ１８アリールもしくはＣ１〜Ｃ２２アルキル基であり、各Ｒ５は独立してＣ１〜Ｃ３６アルキル基であり、ａおよびｂは、０〜２０の数であり、ｃは０または１であり、さらにｄは１〜６の数であるが、ただしｄ（ａ＋ｂ＋ｃ）＞１および（ａ＋ｂ）＞０であるという条件があり、Ｒ１０およびＲ１１は各々独立して、メチレン、フェニル、または（−ＣｐＨ２ｐ−Ｘ−）ｔＣｐＨ２ｐ−（式中、ｐは２〜１８の数であり、ｔは０〜１０の数であり、Ｘは酸素または硫黄である）型のアルキレン基であり、Ｒ１２は水素、置換または非置換Ｃ１〜Ｃ２０アルキル、Ｃ６〜Ｃ３６アリール、もしくはＣ６〜Ｃ３６アルカリール基である）を有するもの；
式３のアミノアルコール：
【化６】
2004315787.tif 000006
（式中、Ｙは、置換または非置換Ｃ１〜Ｃ３６アルキル、Ｃ６〜Ｃ３６アリール、Ｃ７〜Ｃ３６アルカリール、もしくはＣ７〜Ｃ３６アルアルキル基であり；Ｒ１およびＲ２は各々独立して水素、または置換もしくは非置換Ｃ１〜Ｃ３６アルキル、Ｃ６〜Ｃ３６アリール、Ｃ７〜Ｃ３６アルカリール、またはＣ７〜Ｃ３６アルアルキル基であり、さらにＹ、Ｒ１、またはＲ２のうちの２つは、互いに一緒になって、置換または非置換の、Ｃ２〜Ｃ３６炭素環式または環中に酸素もしくは硫黄へテロ原子を有するヘテロ環式基を形成し、さらにはＹ、Ｒ１、およびＲ２は、２つまたはそれ以上のヒドロキシ基を有するアミノアルコールを生じるように置換されている）；および／または
過塩素酸塩
を含むポリマー組成物。
【請求項８】
組成物がアミノアルコールを含み、このアミノアルコールが、トリス（ヒドロキシメチルアミノ）メタン、トリス（ヒドロキシエチルアミノ）エタン、トリエタノールアミン、Ｎ，Ｎ’−ビス（２−ヒドロキシエチル）エチレンジアミン、グルカミン、または上記アミノアルコールの少なくとも１つを含む混合物である、請求項７記載の安定化されたコポリマー組成物。
【請求項９】
０．０１〜５ｐｈｒのジヒドロピリジン、０．１〜３ｐｈｒのアミノアルコール、および０．００１〜５ｐｈｒの過塩素酸塩を含む、請求項７記載の安定化されたポリマー組成物。
【請求項１０】
請求項７、８、または９記載の安定化されたポリマー組成物を含む物品。
【請求項１１】
ポリオール補助安定剤をさらに含む請求項１記載の安定剤組成物。